(57)【要約】【課題】外付け部品が少なく、また、簡単にコンポジット信号の強度比の調整を行うことが可能なセパレーション調整回路を提供することを目的とする。【解決手段】ステレオコンポジット信号からＬ−Ｒ成分信号を取り出すカレントミラー回路のトランジスタ２３（第１の調整手段）に流れる電流の電流量を制御回路２５（生成手段）が生成する制御信号に基づいて調整する。【選択図】　図２
2004048415.tif 000002
【特許請求の範囲】
【請求項１】
ステレオコンポジット信号における和信号と差信号との強度比を調整し、ステレオ右信号とステレオ左信号との分離度を高めるセパレーション調整回路において、
上記ステレオコンポジット信号から和信号を取り出す和信号取出手段と、
上記ステレオコンポジット信号から差信号を取り出す差信号取出手段と、
上記和信号と上記差信号とを混合し、ステレオ右信号とステレオ左信号とを得る混合手段と、
上記和信号取出手段又は上記差信号取出手段に流れる電流量を調整し、上記和信号又は上記差信号の強度を調整する第１の調整手段と、
上記第１の調整手段の調整動作を制御するための制御信号を生成する生成手段と、
を備えることを特徴とするセパレーション調整回路。
【請求項２】
請求項１に記載のセパレーション調整回路において、
上記第１の調整手段は、複数のトランジスタと、
上記制御信号に基づいて上記トランジスタを選択する選択手段と、
を備え、
上記選択手段で選択されるトランジスタの総電流量に基づいて上記和信号又は上記差信号の強度を調整することを特徴とするセパレーション調整回路。
【請求項３】
請求項１に記載のセパレーション調整回路において、
当該セパレーション調整回路の出力段に接続される抵抗と、
上記抵抗に並列に接続され、該抵抗に流れる電流量を調整する第２の調整手段と、
を備え、
上記第２の調整手段は、上記第１の調整手段が調整する電流量に基づいて電流量を調整することを特徴とするセパレーション調整回路。
【請求項４】
請求項１に記載のセパレーション調整回路において、
上記制御信号は、当該セパレーション調整回路から出力されるステレオ右信号とステレオ左信号との分離度に基づいて生成されることを特徴とするセパレーション調整回路。
【発明の詳細な説明】
【０００１】
【発明の属する技術分野】
本発明は、ステレオ受信機における左右信号の分離度を高めるためのセパレーション調整回路に関する。
【０００２】
【従来の技術】
図６は、従来のステレオ受信機を示す図である。
図６に示すように、ステレオ受信機７０は、アンテナ７１と、同調処理や周波数変換処理などを行うフロントエンド部７２と、Ｌ（左信号）＋Ｒ（右信号）成分信号、Ｌ−Ｒ成分信号、及びパイロット信号（ステレオ信号判断用信号）から成るコンポジット信号を出力するＦＭ検波部７３と、そのコンポジット信号からステレオ右信号とステレオ左信号とに復調するステレオ復調回路７４と、そのステレオ復調回路７４の前段に設けられ、ステレオ信号の分離度（セパレーション）を高めるために、Ｌ＋Ｒ成分信号とＬ−Ｒ成分信号との強度比を調整するセパレーション調整回路７５とを備えて構成される。
【０００３】
また、上記セパレーション調整回路７５は、直流成分カット用のコンデンサ７６と、コンデンサ７７と、可変抵抗７８と、抵抗７９と、バッファアンプ８０と、抵抗８１とから構成され、可変抵抗７８の抵抗値を可変することによりＬ＋Ｒ成分信号の強度を調整している。なお、コンデンサ７６、コンデンサ７７、可変抵抗７８、及び抵抗７９は、ＩＣチップ上には構成されない外付け部品である。
【０００４】
ここで、上記ＦＭ検波部７３から出力されるＬ＋Ｒ成分信号の強度は、可変抵抗７８、抵抗７９、及び抵抗８１の影響を受け、Ｌ−Ｒ成分信号の強度は、可変抵抗７８の影響をあまり受けず、抵抗７９及び抵抗８１の影響のみ受ける。すなわち、
Ｌ＋Ｒ成分の強度≒抵抗８１の抵抗値／（可変抵抗７８の抵抗値＋抵抗７９の抵抗値）
Ｌ−Ｒ成分の強度≒抵抗８１の抵抗値／抵抗７９の抵抗値
という関係が成り立つ。
【０００５】
Ｌ−Ｒ成分信号の周波数帯域は、３８ｋＨｚの周波数を中心とした帯域である。Ｌ−Ｒ成分信号が可変抵抗７８を通過する場合は、コンデンサ７７のインピーダンスは小さく、可変抵抗７８の影響をあまり受けずにコンデンサ７７を通過する。一方、Ｌ＋Ｒ成分信号の場合は、反対に、コンデンサ７７のインピーダンスは大きく、可変抵抗７８の抵抗値に応じて、その強度（信号レベル）も変化する。
【０００６】
このように、可変抵抗７８の抵抗値を変えることによって、Ｌ＋Ｒ成分信号の強度も変えることができるので、Ｌ＋Ｒ成分信号とＬ−Ｒ成分信号との強度比をうまく調整することができるので、ステレオ信号の分離度を高めることが可能となる。
【０００７】
【発明が解決しようとする課題】
しかしながら、上述のような従来のステレオ受信機７０では、上記コンデンサ７７や上記可変抵抗７８などＩＣチップ上の外に取り付ける部品が多く、その外付け部品にかかるコストが増大するという問題がある。
【０００８】
また、上記ステレオ受信機７０をプリント基板上に実装する場合に、その外付け部品の部品数に応じて、プリント基板の実装面積が大きくなるという問題もある。
また、上記可変抵抗７８は、例えば、トリマ抵抗などが考えられ、ステレオ受信機７０の製造ライン又は調整ラインなどにおいて、そのトリマ抵抗をドライバーなどを使って回すことによっての抵抗値が調整される。このように、可変抵抗７８の抵抗値の調整は、調整作業者によって行われているので、うまく調整することができず、調整に時間がかかる場合がある。
【０００９】
そこで、本発明では、上記問題点を考慮に入れ、外付け部品が少なく、また、簡単にコンポジット信号の強度比の調整を行うことが可能なセパレーション調整回路を提供することを目的とする。
【００１０】
【課題を解決するための手段】
上記の課題を解決するために本発明では、以下のような構成を採用した。
すなわち、本発明のセパレーション調整回路は、ステレオコンポジット信号における和信号と差信号との強度比を調整し、ステレオ右信号とステレオ左信号との分離度を高めるセパレーション調整回路において、上記ステレオコンポジット信号から和信号を取り出す和信号取出手段と、上記ステレオコンポジット信号から差信号を取り出す差信号取出手段と、上記和信号と上記差信号とを混合し、ステレオ右信号とステレオ左信号とを得る混合手段と、上記和信号取出手段又は上記差信号取出手段に流れる電流量を調整し、上記和信号又は上記差信号の強度を調整する第１の調整手段と、該第１の調整手段の調整動作を制御するための制御信号を生成する生成手段とを備える。
【００１１】
上記和信号とは、上記ステレオ右信号と上記ステレオ左信号とが足されたＬ＋Ｒ成分信号を示す信号であり、上記差信号とは、上記ステレオ右信号と上記ステレオ左信号との差であるＬ−Ｒ成分信号を示す信号である。
また、上記和信号取出手段とは、例えば、差動増幅器に入力されたステレオコンポジット信号から和信号を取り出すためのカレントミラー回路であって、同様に、上記差信号取出手段とは、例えば、ステレオコンポジット信号から差信号を取り出すためのカレントミラー回路である。
【００１２】
また、上記混合手段とは、例えば、上記和信号と上記差信号とを混合して、ステレオ右信号及びステレオ左信号とを得るミキサ回路であって、上記和信号取出手段、上記差信号取出手段、及び上記混合手段によって、ステレオ復調機能を構成している。
【００１３】
また、上記第１の調整手段とは、例えば、上記カレントミラー回路を構成する出力側のトランジスタであって、この出力側のトランジスタの電流量を調整することによって、上記和信号又は上記差信号の強度を調整し、ステレオ右信号とステレオ左信号との分離度を高めることができる。これより、従来のステレオ受信機で必要であった和信号又は差信号の強度調整用の外付け部品を少なくすることができるので、プリント基板の実装面積を小さくすることが可能となる。
【００１４】
また、上記生成手段が生成する制御手段に基づいて、上記第１の調整手段の動作が制御されるので、人手を介すことなく簡単に上記和信号又は上記差信号の強度を調整し、ステレオ右信号とステレオ左信号との分離度を高めることが可能となる。
【００１５】
また、上記セパレーション調整回路は、上記第１の調整手段が、複数のトランジスタと、上記制御信号に基づいて上記トランジスタを選択する選択手段とを備え、該選択手段で選択されるトランジスタの総電流量に基づいて上記和信号又は上記差信号の強度を調整するようにしてもよい。
【００１６】
上記選択手段は、例えば、スイッチであって、各トランジスタにそれぞれスイッチを接続し、そのスイッチのＯＮ又はＯＦＦの動作を上記制御信号に基づいて制御することによって、上記カレントミラー回路に流れる電流量を調整することで、和信号と差信号との強度比を調整することができるので、ステレオ右信号とステレオ左信号との分離度を高めることが可能となる。
【００１７】
また、上記セパレーション調整回路は、当該セパレーション調整回路の出力段に接続される抵抗と、該抵抗に並列に接続され、該抵抗に流れる電流量を調整する第２の調整手段とを備え、上記第２の調整手段が、上記第１の調整手段が調整する電流量に基づいて電流量を調整するようにしてもよい。
【００１８】
これより、上記第１の調整手段で上記和信号又は上記差信号の強度調整に応じて、セパレーション調整回路の出力におけるＤＣバイアスも調整することができるので、出力信号を歪ませない所定のＤＣバイアスとすることが可能となる。
また、上記セパレーション調整回路は、上記制御信号が、当該セパレーション調整回路から出力されるステレオ右信号とステレオ左信号との分離度に基づいて生成されるように構成してもよい。
【００１９】
これより、上記制御信号の信頼度を高めることが可能となる。
【００２０】
【発明の実施の形態】
以下、本発明の実施の形態を図面を用いて説明する。
図１は、本発明の実施の形態であるステレオ受信機を示す図である。
図１に示すように、ステレオ受信機１０は、アンテナ１１と、同調処理や周波数変換処理などを行うフロントエンド部１２と、Ｌ（左信号）＋Ｒ（右信号）成分信号、Ｌ−Ｒ成分信号、及びパイロット信号（ステレオ信号判断用信号）から成るコンポジット信号を出力するＦＭ検波部１３と、そのコンポジット信号からステレオ右信号とステレオ左信号とに復調するステレオ復調機能とステレオ信号の分離度（セパレーション）を高めるために、Ｌ＋Ｒ成分信号とＬ−Ｒ成分信号との強度比を調整するセパレーション調整機能とを併せ持つセパレーション調整回路１４とを備えて構成される。
【００２１】
また、上記セパレーション調整回路１４の前段には、受信信号のＤＣバイアスを調整するための基準電圧供給用の抵抗１５と、バッファアンプ１６と、外付け部品として直流成分カット用のコンデンサ１７とが備えられる。
次に、上記セパレーション調整回路１４を詳細に説明する。
【００２２】
図２は、セパレーション調整回路１４の回路構成図である。
先ず、ＰチャンネルＭＯＳトランジスタ２０で構成される差動増幅器にコンポジット信号及びＤＣ基準電圧が入力される。そして、差動増幅器に入力されたコンポジット信号は、ＮチャンネルＭＯＳトランジスタ（以下、単にトランジスタという）２１及び２２からなるカレントミラー回路（和信号取出手段）とトランジスタ２１及び２３からなるカレントミラー回路（差信号取出手段）とによって、破線枠Ａと破線枠Ｂとに分配される。破線部Ａに分配された信号は、Ｌ＋Ｒ成分信号を表し、破線部Ｂに分配された信号は、Ｌ−Ｒ成分信号を表す。そして、Ｌ−Ｒ成分信号は、トランジスタ２４からなるミキサ回路（混合手段）に入力され、３８ｋＨｚ成分の信号が取り除かれる。そして、ミキサ回路において、３８ｋＨｚ成分信号が取り除かれたＬ−Ｒ成分信号と、Ｌ＋Ｒ成分信号とが混合される（和差演算される）ことによって、ステレオ右信号（Ｒ信号）及びステレオ左信号（Ｌ信号）を得ている。
【００２３】
そして、本実施形態のセパレーション調整回路１４では、トランジスタ２１及び２３からなるカレントミラー回路、すなわち、破線部Ｂのトランジスタ２３（第１の調整手段）に流れる電流の電流量を制御回路２５（生成手段）が生成する制御信号に基づいて調整している。このように、トランジスタ２３に流れる電流値を可変させることによって、Ｌ−Ｒ成分信号の強度を調整し、Ｌ＋Ｒ成分信号とＬ−Ｒ成分信号との強度比を調整することができる。その結果、Ｌ信号とＲ信号の分離度を高めることが可能となる。
【００２４】
また、制御回路２５で生成される制御信号は、任意のビット数のデジタル信号であって、後述する電流量調整スイッチのＯＮまたはＯＦＦの動作を制御する。図３は、破線部Ｃのカレントミラー回路の具体例を示す図である。なお、破線部Ｃの外のトランジスタ２１及び２３からなるカレントミラー回路も同様の構成とする。また、これら２つのトランジスタ２３には、同一の制御信号が制御回路２５から供給され、同一に機能する。
【００２５】
図３（ａ）に示すカレントミラー回路３０は、複数のトランジスタ２３（２３−１、２３−２、・・・、２３−ｎ）と各トランジスタ２３のドレインに接続されるスイッチ３１（選択手段）とから構成され、それぞれのスイッチ３１のＯＮ又はＯＦＦの動作は、上記制御回路２５から出力される制御信号に基づいて制御される。なお、スイッチ３１は、半導体スイッチング素子で構成されている。
【００２６】
そして、選択されるスイッチ３１に応じて、カレントミラー回路３０に流れる電流の電流値が変わり、Ｌ−Ｒ成分信号の強度が調整される。すなわち、ＯＮとなるスイッチ３１の個数が多いほど、接点Ｄに流れる電流量が多くなり、強度の大きいＬ−Ｒ成分信号が上記ミキサ回路に入力される。反対に、ＯＮとなるスイッチ３１の個数が少なければ、接点Ｄに流れる電流量が少なくなり強度の小さいＬ−Ｒ成分信号が上記ミキサ回路に入力される。このように、ＯＮとなるスイッチ３１の個数に基づいて、Ｌ−Ｒ成分信号の強度を調整することによって、Ｌ＋Ｒ成分信号との強度比を調整することができるので、Ｌ信号とＲ信号との分離度を高めることが可能となる。
【００２７】
また、図３（ｂ）に示す他の形態のカレントミラー回路３２も、複数のトランジスタ２３（２３−１、２３−２、・・・２３−ｎ）と各トランジスタ２３のゲートに接続されるスイッチ３１とから構成され、それぞれのスイッチ３１は、上記制御回路２５が生成する制御信号に基づいてＯＮ又はＯＦＦの動作が制御される。そして、図３（ａ）と同様に、選択されるスイッチ３１の個数に応じて、カレントミラー回路３２に流れる電流の電流値が変わるので、それに伴ってＬ−Ｒ成分信号の強度が調整される。
【００２８】
また、制御回路２５で生成される制御信号は、出力されたステレオ右信号及びステレオ左信号の分離度に基づいて生成される。すなわち、例えば、ステレオ右信号及びステレオ左信号の分離度が低い場合であって、Ｌ−Ｒ成分信号の強度がＬ＋Ｒ成分信号の強度よりも高い場合、制御回路２５は、ＯＮとなるスイッチ３１の数を少なくするような制御信号を生成する。なお、この時のスイッチ３１の数は、Ｌ＋Ｒ成分信号の強度とＬ−Ｒ成分信号の強度が同じになるように調整される。これより、ミキサ回路に流れる電流量を減らし、Ｌ＋Ｒ成分信号の強度とＬ−Ｒ成分信号の強度と同じ強度にすることができるので、ステレオ右信号及びステレオ左信号の分離度を高めることが可能となる。
【００２９】
なお、上記カレントミラー回路３０又は３２の各トランジスタ２３の大きさを変え、スイッチ３１でそのトランジスタ２３を任意に選択するようにしてもよい。このように、カレントミラー回路３０又は３２のトランジスタ２３の大きさをそれぞれ異ならせることによって、選択されるトランジスタ２３の組み合わせに応じて、破線部Ｃのカレントミラー回路に流れる電流の電流量を任意な値にすることが可能となる。
【００３０】
次に、他の実施形態におけるセパレーション調整回路の構成を説明する。上記セパレーション調整回路１４では、セパレーション調整のため、Ｌ−Ｒ成分の電流量を可変させる構成であるが、このＬ−Ｒ成分の電流量を可変させることで、出力信号であるＬ信号及びＲ信号のＤＣバイアス成分も変わってしまうことがある。例えば、Ｌ−Ｒ成分信号の電流量を多くするように調整した場合、その時、セパレーション調整回路１４から出力されるＬ信号及びＲ信号のＤＣバイアスも大きくなり、その結果、そのＬ信号及びＲ信号に歪みが生じることがある。
【００３１】
図４は、出力されるＬ信号及びＲ信号に歪みを生じさせないためのセパレーション調整回路を示す図である。なお、図２と同じ構成の部分は、同じ符号をつけ、その説明を省略する。
図４に示すセパレーション調整回路４０は、図２のセパレーション調整回路１４の出力部を更に、トランジスタ４１からなるカレントミラー回路で折り返し、そのカレントミラー回路の出力段に抵抗４２と、その抵抗４２に並列に接続される定電流源４３（第２の調整手段）を接続している。なお、抵抗４２及び定電流源４３の他方の端子は、グランドに接続されている。
【００３２】
そして、上記定電流源４３の電流量は、Ｌ−Ｒ成分信号の強度に基づく制御回路２５の制御信号によって電流量が可変され、出力信号に歪みが生じない所定のＤＣバイアスとなるように調整される。
このように、上記定電流源４３の電流量をＬ−Ｒ成分信号の強度に基づいて可変させることによって、抵抗４２に流れる電流の電流量も可変させることができるので、例えば、Ｌ−Ｒ成分信号の強度が大きくなるように調整されても、その出力を一定以上のＤＣバイアスにすることを抑えることができ、出力信号の歪みを抑えることが可能となる。
【００３３】
そして、定電流源４３の電流量の可変方法は、例えば、図３に示すような、トランジスタ２１と、複数のトランジスタ２３と、各トランジスタ２３に接続されるスイッチ３１とからなるカレントミラー回路において、トランジスタ２３のドレイン側に定電流源を接続し、スイッチ３１でトランジスタ２３を選択することによって、抵抗４２に流す電流を調整するようにしてもよい。すなわち、定電流源４３を複数のトランジスタからなるカレントミラー回路で折り返し、その出力側のトランジスタの個数をスイッチなどで選択することによって可変する方法が考えられる。
【００３４】
なお、図４に示すセパレーション調整回路４０の出力段に設けられる抵抗４２及び定電流源４３をカレントミラー回路で折り返さずに構成してもよい。
図５は、カレントミラー回路で折り返さずに出力段の電流量を調整する構成のセパレーション調整回路を示す図である。
【００３５】
図５に示すように、セパレーション調整回路５０の出力段には、抵抗４２とその抵抗４２に並列に接続される定電流源４３とが接続され、抵抗４２及び定電流源４３の他方の端子が電源（ＶＤＤ）に接続されている。そして、図４と同様、制御回路２５から出力される制御信号に基づいて、定電流源４３に流れる電流値を可変させている。
【００３６】
このように、カレントミラー回路で折り返さずに出力段の抵抗４２に流れる電流量を調整するように構成しても、出力信号のＤＣバイアスを所定の値に制御することが可能となる。
また、図２におけるセパレーション調整回路１４のトランジスタ２３の代わりに可変抵抗を設ける構成としてもよい。
【００３７】
このように、この３８ｋＨｚ成分信号を取り除いたＬ−Ｒ成分信号とＬ＋Ｒ成分信号との和差演算を行うステレオ復調機能と、Ｌ−Ｒ成分信号とＬ＋Ｒ成分信号との強度比を調整するセパレーション調整機能の両方の機能を、ステレオ復調機能のミキサ回路のバイアス電流（カレントミラー回路の電流量）を調整することによって、実現することが可能となる。
【００３８】
また、従来のステレオ受信機７０で不可欠であったコンデンサ７７などの外付け部品を少なくすることができるので、プリント基板の実装面積を小さくすることが可能となる。
また、生成手段で生成される制御信号に基づく電気的制御により、人手を介さずに、右信号及び左信号の分離度を高めることが可能となる。
【００３９】
また、本発明における実施形態のセパレーション調整回路によって、図７における従来のステレオ受信機７０で必要であった可変抵抗７８などを省略することができることより、受信信号は、抵抗に基づくインピーダンスの影響がなくなるので、受信信号の直流成分をカットするためのコンデンサ７６の容量を小さくすることが可能となる。そして、このように、直流成分カット用のコンデンサ７６（本発明の実施形態におけるコンデンサ１７）の容量を小さい、すなわち、大きさが小さいコンデンサを実装することができるので、プリント基板の実装面積を更に小さくすることが可能となる。
【００４０】
また、上記セパレーション調整回路は、Ｌ−Ｒ成分の電流量を調整するような構成であるが、Ｌ＋Ｒ成分の電流量を調整するような構成としてもよい。
【００４１】
【発明の効果】
本発明のセパレーション調整回路によれば、ステレオコンポジット信号から和信号又は差信号を取り出す際の取出手段に流れる電流量を生成手段が生成する制御信号に基づいて、調整することによって、それらの構成をＩＣチップ上などに構成することができるので、従来のステレオ受信機において、必要であったセパレーション調整用の外付け部品を少なくすることができ、プリント基板の実装面積を小さくすることが可能となる。
【００４２】
また、生成手段で生成される制御信号に基づいて、和信号と差信号との強度比を調整しているので、人手を介さずに、右信号及び左信号の分離度を高めることが可能となる。
【図面の簡単な説明】
【図１】本発明の実施の形態であるステレオ受信機を示す図である。
【図２】セパレーション調整回路１４の回路構成図である。
【図３】破線部Ｃのカレントミラー回路の具体例を示す図である。
【図４】他の実施形態におけるセパレーション調整回路の構成を示す図である。
【図５】他の実施形態におけるセパレーション調整回路の構成を示す図である。
【図６】従来のステレオ受信機を示す図である。
【符号の説明】
１０　ステレオ受信機
１１　アンテナ
１２　フロントエンド部
１３　ＦＭ検波部
１４　セパレーション調整手段
１５　抵抗
１６　バッファアンプ
１７　コンデンサ
２０　ＰチャンネルＭＯＳトランジスタ
２１〜２４　ＮチャンネルＭＯＳトランジスタ
２５　制御回路
３０、３２　カレントミラー回路
３１　スイッチ
４０　セパレーション調整回路
４１　トランジスタ
４２　抵抗
４３　定電流源
５０　セパレーション調整回路
６０　セパレーション調整回路
６１　可変抵抗
７０　ステレオ受信機
７１　アンテナ
７２　フロントエンド部
７３　ＦＭ検波部
７４　ステレオ復調回路
７５　セパレーション調整回路
７６、７７　コンデンサ
７８　可変抵抗
７９　抵抗
８０　バッファアンプ
８１　抵抗
【図１】
2004048415.tif 000003
【図２】
2004048415.tif 000004
【図３】
2004048415.tif 000005
【図４】
2004048415.tif 000006
【図５】
2004048415.tif 000007
【図６】
2004048415.tif 000008